(57)【要約】【課題】容易に運搬、保管、及び、止水装置同士を連結できて、止水装置と止水装置の連結箇所、及び、止水装置と設置面との間から浸水することのない止水装置を提供する。【解決手段】一方から他方への水の浸入を防止する止水装置１０であって、裏面に止水部材４を備えた底板１と、該底板１の後端から立ち上がる立上がり板２とを有する略Ｌ字型をしたものであり、止水装置１０の左右端部の少なくとも一端部側に、止水装置１０と止水装置１０を左右に連結するための連結部３を有する構成とする。構造が非常にシンプルで、且つ、軽量なものであるため、体力に劣るお年寄りや女性でも、容易に止水装置１０を保管場所から持ち運んで、止水する必要がある現場で迅速に止水装置１０，１０同士を連結し、遮水壁を構築することができる。【選択図】図２
2016108897.tif 000002
【特許請求の範囲】
【請求項１】
一方から他方への水の浸入を防止する止水装置であって、
裏面に止水部材を備えた底板と、該底板の後端から立ち上がる立上がり板とを有する略Ｌ字型をしたものであり、
止水装置の左右端部の少なくとも一端部側に、止水装置と止水装置を左右に連結するための連結部を有することを特徴とする止水装置。
【請求項２】
上記連結部が、底板から立上がり板まで連続して形成されていることを特徴とする請求項１に記載の止水装置。
【請求項３】
上記連結部がさね構造であり、該連結部に止水部材が備えられていることを特徴とする請求項１又は請求項２に記載の止水装置。
【請求項４】
上記底板の裏面又は／及び立上がり板の背面に、仮固定手段が講じられていることを特徴とする請求項１ないし請求項３のいずれかに記載の止水装置。
【請求項５】
上記仮固定手段が粘着部材を用いるものであることを特徴とする請求項４に記載の止水装置。
【請求項６】
上記底板から立上がり板に跨がって、補強部が形成されていることを特徴とする請求項１ないし請求項５のいずれかに記載の止水装置。
【発明の詳細な説明】
【技術分野】
【０００１】
本発明は、止水装置に関し、更に詳しくは、ゲリラ豪雨等の際に、一方から他方への水の浸入を、簡易な施工で確実に防止することのできる止水装置に関するものである。
【背景技術】
【０００２】
昨今、地球温暖化が要因の一つとされる異常気象に伴い、各地で短時間の記録的なゲリラ豪雨が頻発している。周知のように、都市部では道路の舗装化が進んでおり、降雨した雨水は殆ど地中に浸透することなく、下水道施設から河川へと一気に流入するため、短時間で河川が氾濫したり下水道施設から雨水が噴き出したりして、床下浸水や床上浸水の被害を出している。
【０００３】
このような河川の氾濫などの水害時は、従来、土嚢を建物や地下出入口等の開口部に積み上げて遮水壁を作り、建物等の内部への浸水を防いでいた。しかしながら、土嚢は非常に重いため、積み上げ作業には大変な時間と労力を要し、また、嵩張るため保管場所を確保することも容易ではなかった。しかも、上記のように、昨今の水害は短時間の内に被害が出ることが多く、土嚢を保管場所から運び出して積み上げる作業に時間を要すると、遮水壁を作るまでに浸水してしまうことも珍しくなかった。
【０００４】
かかる事情に鑑みて、底部の溝形材と壁面に埋め込む左右の溝形材とを組み合わせてなる支持枠と、やり返しにより上記支持枠に取外し自在に装着するパネルからなり、該パネルは、上記支持枠に対して水密に固定するためのハンドルとパッキングとを備えた防水パネル装置が提案されている（特許文献１）。
【０００５】
上記特許文献１の防水パネル装置は、土嚢を保管場所から運び出して積み上げるという作業が不要になるとはいうものの、装置自体が大掛かりなものであるため重量が嵩むという問題があった。また、水害時の防水装置にかかる水圧に対応するため、雨水を直接遮断するパネルの他にも別途補強用アングル材なる補強部材が必要となり、部品点数が多くなるため、構造が複雑なものとなり、防水パネル装置の組み立て作業に時間を要するという問題もあった。更に、この防水パネル装置は、支持枠が常時据え付けられているため、周囲の美観を損なう恐れもあった。
【０００６】
一方、遮水を必要とする設置面に接地する遮水板の形状をＬ字型とし、該遮水板の垂直部と水平部の接面する箇所にヒンジを取付けて、上記ヒンジの開閉により遮水板を折り畳み可能な構造とした遮水装置も提案されている（特許文献２）。
【０００７】
上記特許文献２の遮水装置は、遮水板同士を必要に応じて複数連結することにより、遮水壁を構築していくものであり、遮水板自体は、軽量でコンパクトなため、運搬や保管場所の確保が容易であり、体力に劣るお年寄りや女性でも容易に遮水壁を構築することができるものであった。
【先行技術文献】
【特許文献】
【０００８】
【特許文献１】特開平０５−３１１６２９号公報
【特許文献２】特開２００１−１４０２３５号公報
【発明の概要】
【発明が解決しようとする課題】
【０００９】
しかしながら、上記特許文献２の遮水装置は、遮水板同士を連結する際は、一方の遮水板を他方の遮水板の上に、単に重ね置きしているだけであるため、そこに隙間が生じ易く、その隙間より浸水する恐れがあった。また、遮水板は、設置面に対して単に載置しているだけであるため、遮水板と設置面との隙間からも浸水する恐れがあった。
【００１０】
本発明は上記の問題に鑑みてなされたもので、その解決しようとする課題は、容易に運搬、保管、及び、止水装置同士を連結することができるようにするため、構造を可能な限りシンプル且つ軽量なものとし、止水装置と止水装置の連結箇所、及び、止水装置と設置面との間から浸水することのない止水装置を提供することにある。
【課題を解決するための手段】
【００１１】
上記目的を達成するため、本発明に係る止水装置は、一方から他方への水の浸入を防止する止水装置であって、裏面に止水部材を備えた底板と、該底板の後端から立ち上がる立上がり板とを有する略Ｌ字型をしたものであり、止水装置の左右端部の少なくとも一端部側に、止水装置と止水装置を左右に連結するための連結部を有することを特徴とするものである。
【００１２】
本発明の止水装置においては、上記連結部が、底板から立上がり板まで連続して形成されていることが好ましい。また、上記連結部がさね構造であり、該連結部に止水部材が備えられていることが好ましい。更に、上記底板の裏面又は／及び立上がり板の背面に、仮固定手段が講じられていることが好ましく、上記仮固定手段が粘着部材を用いるものであることがより好ましい。また、上記底板から立上がり板に跨がって、補強部が形成されていることが好ましい。
【発明の効果】
【００１３】
本発明の止水装置は、底板と、該底板の後端から立ち上がる立上がり板とを有する略Ｌ字型をしたものであり、構造が非常にシンプルで、且つ、軽量なものである。従って、体力に劣るお年寄りや女性でも、容易に止水装置を保管場所から持ち運んで、止水する必要がある現場で迅速に止水装置同士を連結し、遮水壁を構築することができる。しかも、底板の裏面には止水部材が備わっているため、止水装置と設置面との間から浸水することがなく、また、止水装置と止水装置は、連結部により確実に連結されることから、止水装置と止水装置の連結箇所からも浸水する心配はない。
【００１４】
また、上記連結部が、底板から立上がり板まで連続して形成されている止水装置は、連結部を途切れることなく一続きとすることにより、底板から立上がり板までを、一連の作業で一気に連結することができるようになって、施工時間を短縮することができるようになると共に、止水装置と止水装置の連結箇所から浸水するという不具合を、より確実に防止することができる。
【００１５】
更に、上記連結部がさね構造であり、該連結部に止水部材が備えられている止水装置は、連結部を「さね構造」とすることにより、一方の止水装置を、隣接する止水装置に、側方からスライドさせるだけで、より確実且つ強固に連結することが可能となり、それに加えて、連結部に止水部材が備えられているので、連結と同時に止水性が確保され、止水装置と止水装置の連結箇所からの浸水が皆無に等しくなる。
【００１６】
また、上記底板の裏面又は／及び立上がり板の背面に、仮固定手段が講じられている止水装置は、押し寄せてくる水が、底板の上に溜まって底板を設置面側に強く押し付ける水圧が加わるまでの間、仮固定手段により浸水を防止することができる。そして、あくまでも仮固定であるため、必要がなくなれば、直ぐに止水装置を撤去することもできる。
【００１７】
特に、上記仮固定手段が粘着部材を用いるものであると、少しの力で止水装置を設置面に仮固定することができるため、施工性に優れ、余計な部材が不要となり、コストを削減することもできる。
【００１８】
また、上記底板から立上がり板に跨がって、補強部が形成されている止水装置は、補強部を形成することにより、止水装置の強度が向上し、特に、立上がり板の撓みを有効に防止することができる。
【図面の簡単な説明】
【００１９】
【図１】本発明の一実施形態に係る止水装置を示す斜視図である。
【図２】同止水装置と止水装置を左右に連結して設置箇所に設置した状態を示す斜視図である。
【図３】図２のＡ−Ａ線断面図である。
【図４】図２のＢ−Ｂ線断面図である。
【図５】本発明の他の実施形態に係る止水装置の底板の連結状態を示す部分拡大断面図である。
【図６】本発明の更に他の実施形態に係る止水装置の底板の連結状態を示す部分拡大断面図である。
【図７】同止水装置の止水部材、仮固定手段、及び、接着剤層の関係を示す断面図である。
【図８】同止水装置の止水部材を設ける箇所の種々の態様を示す概略平面図である。
【図９】同止水装置を重ね合わせた状態を示す斜視図である。
【発明を実施するための形態】
【００２０】
以下、図面を参照して本発明の具体的な実施形態を詳述する。
【００２１】
図１に示す本発明の止水装置１０は、底板１と立上がり板２とを有する略Ｌ字型をしたものであり、図２に示すように、複数の止水装置１０を左右に連結することにより遮水壁を構築し、一方（浸入側）から他方（被浸入側）への水の浸入を防止するためのものである。
【００２２】
上記止水装置１０の底板１は、幅３００〜２５００ｍｍ程度、長さ（奥行き）３００〜２５００程度の方形の板体であり、この底板１に上方から水圧が加わることにより、設置面に対して鉛直方向に押圧する力が作用し、設置した場所からの移動が抑止されて、止水装置１０が強固に設置されるようになっている。
【００２３】
また、立上がり板２は、上記底板１の後端から略垂直方向に立ち上がる方形の板体であって、その幅は上記底板１と同じ３００〜２５００ｍｍ程度、高さも３００〜２５００ｍｍ程度となっている。この立上がり板２の高さが２５００ｍｍよりも高いと、水位が相当に上昇しても止水することができるようになる反面、運搬性や収納性に劣る。反対に立上がり板２の高さが３００ｍｍよりも低いと、運搬性や収納性は向上するが、直ぐに水が立上がり板２を越流して浸水を防止することができなくなる。これらを勘案して、立上がり板２の高さは、上記のように、３００〜２５００ｍｍ程度が好ましい。
【００２４】
上記底板１と立上がり板２は、一体に形成することも、別体に形成してから連結することもできるが、一体に形成する方が連結箇所からの浸水の恐れがなくなると共に、組み立て等の工程が不要となるので好ましい。また、底板１と立上がり板２とを有する止水装置１０は、プレス成形などで成形することも可能であるが、後述する連結部３などの細かい部分までを一体成形することを考えると、射出成形が好ましい。更に、その材質は、金属製、ＦＲＰ、熱可塑性合成樹脂など、水が通過しないものであれば特に限定されるものではないが、連結部３などの細かい部分までをも一体成形できて、且つ、強度と軽量化に優れる合成樹脂製やＦＲＰ製とすることが好ましい。
尚、図示はしないが、底板１と立上がり板２に、折り畳みやスライド機構を付与することにより、一枚の板状に畳めるようにすると、更にコンパクトに収納することが可能となる。
【００２５】
また、上記底板１は、その裏面に止水部材４を備えている。この止水部材４は、底板１と設置面との間からの水の浸入を防止するためのもので、本実施形態では、止水効果が高く柔軟性を有するパッキンが底板１の裏面に貼着されている。この止水部材４は、本実施形態のように、別部材を貼着する方法以外にも、柔軟で止水効果のある材料が底板１と一体に成形されていてもよい。このように、底板１が止水部材４を備えることにより、底板１に上方より水圧が加わると、裏面の止水部材４が圧縮されて、底板１の裏面と設置面の隙間を埋めることから、水の浸入が確実に防止される。
【００２６】
更に、底板１と設置面との間からの水の浸入を防止するため、図示はしないが、底板押圧部材を用いることもできる。ここでいう底板押圧部材とは、止水装置１０の上方から底板１の裏面に貼着された止水部材４を圧縮する部材であって、底板１に水圧が加わるまでの間の止水性を確保するためのものであり、例えば、立上がり板２に取付けたり、底板１の上面に載置されたりして、底板１を上方から押圧し、底板１裏面の止水部材４を圧縮するものである。この底板押圧部材は、水以上の比重を有するものであれば金属や樹脂など材質は問わないものであり、中空状や容器状で内部に充填物を入れるものでもよい。また、底板押圧部材は、底板１に安定的に載置できるように、後述する補強部７の形状に対応したものであることが好ましく、この補強部７である３箇所の三角形状の膨出体に当接するように、その隙間に納まる大きさ、形状のものが好ましい。この底板押圧部材は、直方体でもよいが、補強部７と同じ三角形状であると、水位が上昇時の初めのころから斜面に対して下向きの水圧が加わるのでより安定的になり、外観的にも補強部７と一体感があって好ましい。このような底板押圧部材は、止水装置１０と一体に形成してもよいが、別体に形成した方が重ねたときによりコンパクトになるので好ましく、別体に形成した場合は、底板押圧部材と止水装置１０との間に嵌合や係止など固定の補助となるような構造を有していてもよい。
【００２７】
上記止水部材４は、水の浸入側と被浸入側（開口部９）とを隔てるように取付けるようにする。即ち、図８の（ａ）に示すように、底板１の裏面の四周に亘って貼着することにより、止水性を確保してもよく、図８の（ｂ）に示すように、後端部を除く三辺に止水部材４を貼着することにより、止水性を確保してもよい。また、図８の（ｃ）に示すように、底板１の裏面の後端部のみに止水部材４を貼着することでも止水性を確保することができるほか、図示はしないが、底板１の裏面全体に止水部材４を貼着しても止水性を確保できる。本実施形態のように、止水部材４が底板１とは別部材である場合、止水装置１０を設置する直前に止水部材４を貼着してもよい。
【００２８】
上記のような、底板１と立上がり板２とを有する止水装置１０の左右両端（底板１と立上がり板２の左右両端）には、図１に示すように、それぞれ連結部３が形成されている。この連結部３は、止水装置１０と止水装置１０を左右に連結するためのものであり、底板１から立上がり板２まで、コーナー部も含めて連続して一続きに形成されている。
【００２９】
上記連結部３は、所謂「さね構造」をしたものである。即ち、立上がり板２の右端側面には、図３に示すように、外側方向に向って略Ｌ型に突設された細長い突出部３ａが形成されており、立上がり板２の左端側面には、外側方向に向って二条の突片３０ｂ，３０ｂが突設され、その二条の突片３０ｂ，３０ｂにより細長い溝部３ｂが形成されている。そして、一方の止水装置１０の連結部３（突出部３ａ）が、隣接する止水装置１０の連結部３（溝部３ｂ）に横方向からスライド挿入されることにより、該突出部３ａと溝部３ｂが係合し、止水装置１０と止水装置１０が連結されるようになっている。
【００３０】
また、本実施形態では、より強固に止水装置１０，１０同士を連結するため、図４に示すように、立上がり板２の数箇所に係止爪３ｃが設けられていて、その係止爪３ｃが、対応する箇所に穿孔された係止孔３ｄに係止するようになっている。これにより、止水装置１０と止水装置１０が、離合することなく強固に連結される。
【００３１】
上記のような、一方の側面に突出部３ａが形成され、もう一方の側面に溝部３ｂが形成された連結部３を有する止水装置１０は、止水装置１０を隣接する止水装置１０に、左から右方向にスライドさせることにより連結するものである。これに対して、底板１に形成される連結部３のみを、図５、図６に示すような形状にすることにより、止水装置１０を隣接する止水装置１０に、上方から下方へスライドさせることでも連結することができるようになる。即ち、図５に示す実施形態では、立上がり板２の連結部３は、前述したように、右端側面に外側方向に向って略Ｌ型の細長い突出部３ａが形成されていると共に、左端側面に二条の突片３０ｂ，３０ｂにより細長い溝部３ｂが形成されたものであるが、底板１は、右端側面より略Ｌ字型の連結部３（突出部３ａ）が上方に突設されているが、左端側面には、連結部３が形成されておらず、単なる平板のままである。底板１の連結部３を、上記のような形状とすると、止水装置１０を上方から下方へスライドさせることにより、止水装置１０同士を連結することができるようになる。この図５の実施形態のように、連結部３は、必ずしも止水装置１０の左右両端部に形成されている必要はなく、少なくとも一端部側に連結部３が形成されていれば止水装置１０同士を連結することができる。
【００３２】
また、図６に示す実施形態は、立上がり板２の連結部３は、上記と同様であり、底板１の連結部３は、底板１の右端側面から、その厚みの略上半分だけ突出部３ａが突設され、底板１の左端側面からは、その厚みの下半分だけ突出部３ａが突設されている。このような連結部３が形成された止水装置１０も、隣接する止水装置１０に上方から下方へスライドさせることにより、それぞれの連結部３，３が係合して、止水装置１０同士が連結されるようになっている。
【００３３】
上記連結部３には、図３等に示すように、止水部材４が備えられており、止水装置１０と止水装置１０とは、止水部材４を介して連結されている。この止水部材４は、前述したのと同様に、止水効果が高くて柔軟性を有するパッキンであって、連結部３の全てに止水部材４を貼着している。この止水部材４は、左右両端の連結部３双方に貼着してもよいし、一端（例えば右側）の連結部３のみに止水部材４を貼着してもよい。また、止水部材４は、本実施形態のように、別部材を連結部３に貼着してもよいし、柔軟で止水効果のある材料が底板１と一体に形成されていてもよく、本実施形態のように、止水部材４を別部材とする場合でも、連結時に止水部材４を貼着するようにしてもよい。
尚、連結部３と連結部３との連結をより強固にすることにより、この止水部材４を省くこともできる。
【００３４】
また、上記底板１の裏面及び立上がり板２の背面には、仮固定手段５が講じられている。本発明の止水装置１０は、老若男女を問わず、運搬、保管、及び、連結を容易なものとするため、構造を可能な限りシンプル且つ軽量なものとしたものであるが、装置が軽量故に、仮固定手段５が講じられていないと、底板１に水圧が加わるまでの間は不安定な状態となる。勿論、底板１に水圧が加わると、止水装置１０は鉛直方向に押圧されて安定して固定されるが、水圧が加わるまでの間は不安定なので、それを解消するために仮固定手段５が講じられている。
【００３５】
上記仮固定手段５が講じられることにより、底板１に水圧が加わるまでの間、止水装置１０は仮固定されて、不安定な状態が解消され、安定的に設置することができるようになる。ここでいう仮固定手段５による仮固定とは、容易に止水装置１０を設置箇所から脱着可能に確実に固定できることをいい、粘着、吸着、磁着、係止、係合、嵌合、挟着、螺着等、又は、その組合せ等、手段は特に問わないものであり、本実施形態では、仮固定手段５として粘着部材を用いている。
【００３６】
本実施形態の仮固定手段５として用いられる粘着部材は、コロイド溶液が流動性を失い、多少の弾性と固さをもってゼリー状に固化した、所謂「ゲル」を用いており、このように仮固定手段５としてゲルを用いると、前後左右方向（水圧が加わった際に作用する方向）には、粘着による摩擦力が大きく作用するが、粘着部材５の粘着面に対して略鉛直方向には粘着による摩擦力の作用が小さいため、水圧による移動が確実に抑止されるにも拘らず、撤去時は設置箇所から容易に取外しする（持ち上げる）ことができる。
【００３７】
上記の粘着部材を用いる仮固定手段５は、それ自体を独立させて、底板１の裏面及び立上がり板２の背面に講じてもよいが、仮固定手段５と止水部材４とを一体に形成することがより好ましい。即ち、本実施形態では、図７に示すように、止水部材４が、仮固定手段５及び接着剤層６に挟着されて、止水部材４と仮固定手段５、及び、接着剤層６が一体化されている。そして、接着剤層６は、底板１の裏面及び立上がり板２の背面に貼着されており、仮固定手段５である粘着部材は、止水装置１０の設置面及び柱体８に接するようになっている。
尚、立上がり板２の背面に接する柱体８等が一切存在しない場合は、立上がり板２の背面には、止水部材４及び仮固定手段５が不要となることは言うまでもなく、また、仮固定手段５である粘着部材のみで、止水性を確保できる場合は、止水部材４を省略して、粘着部材５に止水部材４の役割を兼ねさせてもよい。
【００３８】
上記のような、止水部材４と仮固定手段５が一体化された止水装置１０は、設置箇所に単に止水装置１０を載置するだけで、止水装置１０の移動が抑止されると共に、確実な止水性も確保することができる。
尚、連結部３に備えられる止水部材４は、仮固定手段５と一体化されていなくても（止水部材４のみでも）構わない。
【００３９】
上記のような止水装置１０を水害時に利用すると、止水装置１０には非常に大きい水圧が加わることから、止水装置１０（特に立上がり板２）が撓んでしまうことがある。立上がり板２が撓むと、左右両端に形成された連結部３も撓んでしまい、連結箇所に隙間が生じて、その隙間から浸水する恐れが生じる。このような不具合を防止するため、次に説明する補強部７が形成されている。
【００４０】
上記止水装置１０の剛性を高める補強部７は、図１に示すように、三角形状の膨出体であり、底板１から立上がり板２に跨がって形成されている。この補強部７は、先端に向って先窄まりのテーパー形状となっており、その背面側は中空の凹部となっている。従って、止水装置１０が必要ないときは、図９に示すように、止水装置１０を複数重ねて、運搬及び保管ができるようになっている。
【００４１】
上記補強部７は、底板１及び立上がり板２と別体に形成してもよいが、耐久性や加工の手間を考慮すると、底板１及び立上がり板２と一体的に形成することが好ましい。また、補強部７は、特に立上がり板２の撓みを防止するためのものであるため、少なくとも立上がり板２には補強部７を形成することが好ましいが、本実施形態のように、底板１から立上がり板２に跨がるように形成することにより、より耐水圧性に優れる止水装置１０とすることできる。
【００４２】
以上のような構成の止水装置１０は、例えば、図２に示すような場所に設置される。図２に示す設置場所は、２本の柱体８，８により開口部９が形成された、通常の住宅や店舗等の建物に多く見られる態様を示すものであって、水害時に、この開口部９から建物内部に、水が浸入するのを防止する目的で止水装置１０が設置される。
【００４３】
止水装置１０を上記のような開口部９に設置するためには、まず、止水装置１０を開口部９の前側に載置する。そして、止水装置１０を左右にスライドさせることにより、止水装置１０の連結部３の突出部３ａを、隣接する止水装置１０の連結部３の溝部３ｂに差込むと共に、連結部３の係止爪３ｃを隣接する止水装置１０の係止孔３ｄに差込むことにより、止水装置１０と止水装置１０が左右に強固に連結される。これを左右に繰り返し、開口部９の全域を覆うように止水装置１０を連結すると、左右方向に長い遮水壁が構築されて、開口部９から建物内部への浸水が確実に防止される。このとき、立上がり板２の背面に貼着された止水部材４及び仮固定手段５が、確実に柱体８に当接するように留意する。
【００４４】
上記のように、止水装置１０を設置すると、底板１及び立上がり板２に水圧が加わるまでは、仮固定手段５により、止水装置１０は設置面及び柱体８に仮固定されているため、止水装置１０が移動することはなく、底板１に上方から水圧が加わってからは、鉛直方向に押圧する力が作用することから、底板１裏面の止水部材４が圧縮されて、底板１の裏面と設置面の隙間を埋めるため、底板１の裏面と設置面の間から浸水することはない。また、本実施形態のように、止水装置１０が柱体８を有する開口部９に設置されている場合、立上がり板２の背面が、水圧によって開口部９の柱体８方向へと押圧されるため、立上がり板２と柱体８との隙間から、開口部９側への水の浸入も確実に防止されることとなる。
【００４５】
一方、止水装置１０が不要になると、止水装置１０を左右方向に引き離すだけで、止水装置１０同士の連結は解除される。そして、止水装置１０を上下に重ねていくだけで、コンパクトになり、運搬や収納に困ることはない。
【００４６】
以上、本発明の止水装置１０の代表的な実施形態、及び、止水装置１０を設置する一例を説明したが、本発明の止水装置１０は、これに限定されるものではなく、種々の設計変更を許容し得るものである。即ち、例えば、上記のように、開口部９を形成する２本の柱体８，８は、地面から立ち上がった部材であれば、その形態は問わないものであり、また、そもそも本発明の止水装置１０は、開口部９を有する建物等に設置されるだけでなく、開口部９を一切有さない、例えば、池の周囲や、河川の堤防付近にも好適に設置することもできる。
【符号の説明】
【００４７】
１０  止水装置
１    底板
２    立上がり板
３    連結部
３ａ  突出部３ａ
３ｂ  溝部
３０ｂ  突片
３ｃ  係止爪
３ｄ  係止孔
４    止水部材
５    仮固定手段（粘着部材）
６    接着剤層
７    補強部
８    柱体
９    開口部
【図１】
2016108897.tif 000003
【図２】
2016108897.tif 000004
【図３】
2016108897.tif 000005
【図４】
2016108897.tif 000006
【図５】
2016108897.tif 000007
【図６】
2016108897.tif 000008
【図７】
2016108897.tif 000009
【図８】
2016108897.tif 000010
【図９】
2016108897.tif 000011